(57)【要約】【課題】冠水センサの保守点検を行う際、作業者がピット部内に入る必要なく遠隔で自動的に行えるエレベータの冠水センサ点検装置を実現する。【解決手段】点検時などの所定のモードにおいてエレベータかご（１）を最下階を過ぎて所定位置まで下降させる時に、エレベータ昇降路のピット部底面（３）の近傍に取り付けられ該ピット部に液体が侵入したことを検知する冠水センサ（４）に内蔵されるフロート（５）を、かご（１）から突出するように取り付けられた作動竿（６）の下降運動を受けて、てこ作動体（７）により上昇させるか、或いは係合腕を含むクランク機構（８〜１１）を介して最大１８０°まで回転させて落下させ、以てスイッチの作動により冠水検知信号を出力する。【選択図】図１
2015227235.tif 000002
【特許請求の範囲】
【請求項１】
エレベータ昇降路のピット部底面の近傍に取り付けられ、前記ピット部に液体が侵入したことを、内蔵するフロートの移動により検知して冠水検知信号を出力する冠水センサと、
かごから突出するように取り付けられた作動竿と、
所定のモードにおいて前記かごを最下階を過ぎて所定位置まで下降させる時に、前記作動竿の下降運動を受けて前記フロートを点検可能な位置まで移動させる移動機構とを備えた
エレベータの冠水センサ点検装置。
【請求項２】
請求項１に記載のエレベータの冠水センサ点検装置において、
前記移動機構が、前記作動竿、前記底面及び前記フロートとの各接触点をそれぞれ力点、支点及び作用点として前記フロートを上昇させるてこ形状の上下移動機構である
エレベータの冠水センサ点検装置。
【請求項３】
請求項１に記載のエレベータの冠水センサ点検装置において、
前記移動機構が、前記作動竿の下降運動により前記冠水センサを回転させて所定位置で前記フロートを落下させる回転機構である
エレベータの冠水センサ点検装置。
【請求項４】
請求項２に記載のエレベータの冠水センサ点検装置において、
前記てこの形状が、実質的にレの字形状である
エレベータの冠水センサ点検装置。
【請求項５】
請求項３に記載のエレベータの冠水センサ点検装置において、
前記回転機構が、前記冠水センサを最大１８０°回転させるクランク機構である
エレベータの冠水センサ点検装置。
【請求項６】
請求項１に記載のエレベータの冠水センサ点検装置において、
前記所定モードが、前記冠水センサの点検モードである
エレベータの冠水センサ点検装置。
【請求項７】
請求項１から６のいずれか一つに記載のエレベータの冠水センサ点検装置において、
前記冠水検知信号を入力して前記冠水センサの動作の良否を判定する判定部をさらに備えた
エレベータの冠水センサ点検装置。
【発明の詳細な説明】
【技術分野】
【０００１】
本発明は、エレベータ昇降路のピット部底面近傍に設置される冠水センサを点検する装置に関するものである。
【背景技術】
【０００２】
エレベータの昇降路におけるピット部には昇降路の冠水を検出するための冠水センサがピット部底面近傍に設置されている。この冠水センサは、主として内蔵するフロート内部のマグネットが液体の浮力で上昇することにより、やはり冠水センサ内に設けたリードスイッチが作動し、冠水検知信号を出力する仕組みとなっている。
【０００３】
エレベータに直接関連する先行技術ではないが、フロートを上方に押し上げる検査機構を備えたフロート式液面計がある（例えば、特許文献１参照）。
また、容器内に設けられ、液体の液面の位置に応じて移動するフロートと、該フロートを揺動自在に支持するアームとを備えた点検機構付液面計がある（例えば、特許文献２参照）。
【先行技術文献】
【特許文献】
【０００４】
【特許文献１】特開平９−８９６３４号公報
【特許文献２】特開２０００−１６１５９７号公報
【発明の概要】
【発明が解決しようとする課題】
【０００５】
上記の特許文献１及び２は共に、冠水センサを点検するための機構を備えておらず、専用の操作が必要である。
すなわち、エレベータの昇降路のピット部底面近傍に設置された冠水センサの保守点検を行う際、現在は点検作業者が手動でフロートを上昇させることによってスイッチが正しく作動するか否かを確認している。
【０００６】
しかしながら、この方法では作業者が必ずピット部内に入る必要があるため、作業者の負担と危険を伴うという課題があった。
本発明は、上記のような課題を解決するためになされたものであり、作業者がピット部内に入る必要が無く遠隔で冠水センサの自動点検を行える装置を提供することを目的とする。
【課題を解決するための手段】
【０００７】
上記の目的を達成するための本発明に係るエレベータの冠水センサ点検装置は、エレベータ昇降路のピット部底面の近傍に取り付けられ、前記ピット部に液体が侵入したことを、内蔵するフロートの移動により検知して冠水検知信号を出力する冠水センサと、かごから突出するように取り付けられた作動竿と、所定のモードにおいて前記かごを最下階を過ぎて所定位置まで下降させる時に、前記作動竿の下降運動を受けて前記フロートを点検可能な位置まで移動させる移動機構とを備える。
【発明の効果】
【０００８】
このように本発明では、エレベータのかごを最下階を過ぎて所定位置まで下降させる所定のモードにおいて、かごに取り付けられた作動竿の下降運動により移動機構が、冠水センサ内のフロートを点検可能な位置まで移動させることにより、フロートがリードスイッチなどを正しく作動できるか否かを遠隔で自動的に点検できるので、作業者が直接ピット部に入る必要なく冠水センサの保守点検を容易且つ安全に行うことができる。
【図面の簡単な説明】
【０００９】
【図１】本発明に係るエレベータの冠水センサ点検装置の実施の形態１を示す概略図である。
【図２】本発明に係るエレベータの冠水センサ点検装置の実施の形態２を示す概略図である。
【発明を実施するための形態】
【００１０】
以下、本発明に係るエレベータの冠水センサ点検装置の実施の形態を、図面を参照して説明する。
【００１１】
実施の形態１．
図１は、本実施の形態１として、冠水センサ点検時の状態を示しており、エレベータかご１は、今、所定のモード（例えば、点検モード）で最下階レベル面２より下に位置している。昇降路の最下階レベル面２と昇降路底面３との間のピッチ部内には冠水センサ４が設置されており、この冠水センサ４にはフロート５が内蔵されており、このフロート５が昇降路底面３、すなわちピッチ部の底面近傍に位置するように冠水センサ４が取り付けられている。
【００１２】
かご１には、その下部において作動竿６が突出して取り付けられており、前記所定のモードでかご１が最下階より下方に移動する時に、この作動竿６の下降運動を受けてフロート５を点検可能な位置まで移動させる移動機構としてのてこ作動体７が設けられている。すなわち、このてこ作動体７は、作動竿６、底面３及びフロート５との各接触点をそれぞれ力点、支点及び作用点としてフロート５を上昇させるてこ形状（レ字形状）を有した上下移動機構である。
【００１３】
動作において、作動竿６は、エレベータかご１が最下階に着床する通常運転モードでは、てこ作動体７を押し込むことはなく、所定のモード時において、すなわち休止運転時などエレベータがかご点検モードになったとき、最下階着床時より僅かにかご１が下降することで作動竿６が矢印で示すようにてこ作動体７を力点として押し込み、てこ作動体７が底面３を支点とし冠水センサ４のフロート５との接触点を作用点としてフロート５を上昇させ、冠水センサ４内のリードスイッチ（図示せず）を動作させる。
【００１４】
このとき、スイッチから冠水検知信号が出力されて冠水センサ４の動作の良否を判定部（図示せず）で判定する。
エレベータのモードと冠水センサ動作の組み合わせをまとめた表を表１に示す。冠水センサ動作異常時と昇降路冠水発生時には制御盤への発報を行うことで、作業者がその場にいなくともエレベータ管理者に異常を知らせることができる。
【００１５】
【表１】
2015227235.tif 000003
【００１６】
実施の形態２．
図２は、本実施の形態２としての点検時の状態を示している。この実施の形態２では、作動竿６が、実施の形態１より長さが短くなっており、冠水センサ４は、実施の形態１と同様にフロート５を内蔵するとともに中央部分に作動竿６と係合するように取り付けられた係合腕８を有し、この係合腕８は、シャフト９及び円盤１０並びに回転部１１とともにクランク機構を構成して、フロート５を含む回転部１１を最大１８０°までの所定位置まで回転させ、以てフロート５を落下させてリードスイッチ（図示せず）を動作させるものである。
【００１７】
すなわち、動作において、作動竿６はエレベータかご１が最下階に着床する際は係合腕８を押し込むことは無いが、所定のモードとして休止運転時などエレベータがかご点検モードになった際に、最下階着床時より僅かにかご１を下降させることで作動竿６が冠水センサ４の係合腕８を矢印方向に押し込み、シャフト９及び円盤１０を介して、回転部１０を１８０°以内の所定位置まで回転させる。これによりフロート５が逆さまになるので、重力で落下し、リードスイッチを動作させる。従って、所定の位置とはフロート５が落下してスイッチを動作させる位置を示すことになる。
【００１８】
このように本発明では、エレベータかご１が最下階を超えて停止した時に冠水センサ４を作動させる機構は、実施の形態１のようにフロート５を上昇方向に作動させることに限定されるものではなく、実施の形態２のように冠水センサ４にクランク機構等を設け、冠水センサ８を回転部１１において最大１８０°回転させることでフロート５を回転させ落下によりスイッチを動作させる機構でもよい。
【００１９】
また、冠水センサ４の動作の良否を判定するタイミングを、かご点検モードと一致させることで、かご点検モードの際に他機器の点検と並行して冠水センサの点検を行うことが可能となり、冠水センサ点検のための専用操作が不要となる。
【符号の説明】
【００２０】
１  エレベータかご、２  最下階レベル面、３  昇降路（ピット部）底面、４  冠水センサ、５  フロート、６  作動竿、７  てこ作動体（移動機構）、８  係合腕（移動機構）、９  シャフト（移動機構）、１０  円盤（移動機構）、１１  回転部（移動機構）。
【図１】
2015227235.tif 000004
【図２】
2015227235.tif 000005